(57)【特許請求の範囲】
【請求項１】
製本のための設定として、製本物の開き方、及び当該製本物の表表紙と裏表紙への画像の印刷の有無を含む設定が指定されたジョブを入力する入力手段と、
前記ジョブに指定されている前記設定における前記製本物の開き方が左開きであり、かつ前記ジョブに指定されている前記設定において前記製本物の表表紙に画像を印刷することが指定されていれば、前記ジョブの画像データを前記製本のための設定に応じたレイアウトで印刷し、前記設定における前記製本物の開き方が右開きであり、かつ前記ジョブに指定されている前記設定において前記製本物の裏表紙に画像を印刷することが指定されておらず、前記製本物の表表紙に画像を印刷することが指定されていれば、前記ジョブの画像データを１８０度回転させて、前記製本のための設定に応じたレイアウトで印刷するように制御する制御手段と、
を有することを特徴とする印刷装置。
【請求項２】
前記ジョブが、複数部の製本物を指定しているかどうかを判定する判定手段を更に有し、
前記制御手段は、前記判定手段が複数部の製本物を指定していると判定した場合に、前記製本物の開き方及び前記製本物の表表紙及び裏表紙への画像の印刷に応じた制御を行い、前記判定手段が複数部の製本物を指定していないと判定した場合は、前記ジョブの画像データを回転させることなく、前記製本のための設定に応じたレイアウトで印刷するよう制御することを特徴とする請求項１に記載の印刷装置。
【請求項３】
前記製本のための設定が中綴じ製本を含む場合、前記制御手段は、前記ジョブの画像データを、１枚の用紙の一つの面に２つの画像を印刷するようにレイアウトすることを特徴とする請求項１又は２に記載の印刷装置。
【請求項４】
前記入力手段は、複数の原稿を読み取り、その読み取った前記複数の原稿の画像データを含むジョブを入力することを特徴とする請求項１乃至３のいずれか１項に記載の印刷装置。
【請求項５】
前記製本のための設定に応じたレイアウトは、複数の原稿の画像データに基づいて用紙に印刷された各画像が、前記製本物のページ順に並べられるレイアウトであることを特徴とする請求項１乃至４のいずれか１項に記載の印刷装置。
【請求項６】
印刷装置と後処理装置とを含む製本システムであって、
前記印刷装置は、
製本のための設定として、製本物の開き方、及び当該製本物の表表紙と裏表紙への画像の印刷の有無を含む設定が指定されたジョブを入力する入力手段と、
前記ジョブに指定されている前記設定における前記製本物の開き方が左開きであり、かつ前記ジョブに指定されている前記設定において前記製本物の表表紙に画像を印刷することが指定されていれば、前記ジョブの画像データを前記製本のための設定に応じたレイアウトで印刷し、前記設定における前記製本物の開き方が右開きであり、かつ前記ジョブに指定されている前記設定において前記製本物の裏表紙に画像を印刷することが指定されておらず、前記製本物の表表紙に画像を印刷することが指定されていれば、前記ジョブの画像データを１８０度回転させて、前記製本のための設定に応じたレイアウトで印刷するように制御する制御手段とを有し、
前記後処理装置は、
前記印刷装置で画像が印刷された用紙を受け取り、前記製本のための設定に従って製本する製本手段を有することを特徴とする製本システム。
【請求項７】
印刷装置を制御する制御方法であって、
製本のための設定として、製本物の開き方、及び当該製本物の表表紙と裏表紙への画像の印刷の有無を含む設定が指定された、ジョブを入力する入力工程と、
前記ジョブに指定されている前記設定における前記製本物の開き方が左開きであり、かつ前記ジョブに指定されている前記設定において前記製本物の表表紙に画像を印刷することが指定されていれば、前記ジョブの画像データを前記製本のための設定に応じたレイアウトで印刷し、前記設定における前記製本物の開き方が右開きであり、かつ前記ジョブに指定されている前記設定において前記製本物の裏表紙に画像を印刷することが指定されておらず、前記製本物の表表紙に画像を印刷することが指定されていれば、前記ジョブの画像データを１８０度回転させて、前記製本のための設定に応じたレイアウトで印刷するように制御する制御工程と、
を有することを特徴とする印刷装置の制御方法。
【請求項８】
コンピュータを、請求項１乃至５のいずれか１項に記載の印刷装置の各手段として機能させるためのプログラム。
【発明の詳細な説明】
【技術分野】
【０００１】
本発明は、製本システム、印刷装置と、その制御方法及びプログラムに関するものである。
【背景技術】
【０００２】
従来技術では、サドルフィニッシャを備えたＭＦＰを使用することにより、サドルステッチや、サドル折りして製本された成果物を複数部簡単に出力できる。また、表紙の表、裏、裏表紙の表、裏に印刷するか否かを選択することによって、ユーザが所望する製本表紙を得ることができる製本印刷処理も知られている（例えば特許文献１参照）。
【先行技術文献】
【特許文献】
【０００３】
【特許文献１】特開２００２−１４９６３７号公報
【発明の概要】
【発明が解決しようとする課題】
【０００４】
従来技術では、サドルフィニッシャの機能拡張により、大容量の成果物を生成することが可能になった。中綴じ製本は、印刷済の用紙を半分に折って製本する。従って、各用紙は、例えば２ｉｎ１で印刷されることが多く、片側しか画像が形成されない用紙も多く発生する。このような場合、それら用紙の画像のレイアウトによっては、印刷済の用紙を半分に折った状態では、白紙の用紙が連続しているように見えることがある。このような場合、用紙への印刷が正常に実行されているかどうかを判断しにくいという課題がある。例えば、ユーザが表紙の印刷設定を忘れた状態で製本印刷を開始したために白紙の用紙が連続していても、表紙の印刷設定を忘れたことにユーザが気付くのに遅れ、大量に不要の印刷物を生成してしまうことになる。
【０００５】
本発明の目的は、上記従来技術の課題を解決することにある。
【０００６】
本発明の特徴は、製本物が排出されたときに、ユーザがその製本物の異常を速やかに判別できるようにする技術を提供することにある。
【課題を解決するための手段】
【０００７】
上記目的を達成するために本発明の一態様に係る印刷装置は以下のような構成を備える。即ち、
製本のための設定として、製本物の開き方、及び当該製本物の表表紙と裏表紙への画像の印刷の有無を含む設定が指定されたジョブを入力する入力手段と、
前記ジョブに指定されている前記設定における前記製本物の開き方が左開きであり、かつ前記ジョブに指定されている前記設定において前記製本物の表表紙に画像を印刷することが指定されていれば、前記ジョブの画像データを前記製本のための設定に応じたレイアウトで印刷し、前記設定における前記製本物の開き方が右開きであり、かつ前記ジョブに指定されている前記設定において前記製本物の裏表紙に画像を印刷することが指定されておらず、前記製本物の表表紙に画像を印刷することが指定されていれば、前記ジョブの画像データを１８０度回転させて、前記製本のための設定に応じたレイアウトで印刷するように制御する制御手段と、を有することを特徴とする。
【発明の効果】
【０００８】
本発明によれば、製本物を生成して排出する際に、その製本の画像が印刷されている面を上向きにして排出できるため、製本物に使用された用紙の印刷の不具合を容易に確認できるという効果がある。
【図面の簡単な説明】
【０００９】
【図１】本発明の実施形態１に係る印刷装置の一例であるＭＦＰの構成を説明する図。
【図２】実施形態１に係るコントローラのハードウェア構成を説明するブロック図。
【図３】実施形態１に係るＭＦＰの概観図（Ａ）と、実施形態１に係るＭＦＰのプリンタエンジンの構成を説明する断面図（Ｂ）。
【図４】実施形態１に係るＭＦＰの操作部の概観図（Ａ）と、実施形態１に係るＭＦＰの操作部の表示部に表示されるコピーの初期画面の一例を示す図（Ｂ）。
【図５】図４（Ｂ）のコピーの初期画面で、ユーザが応用モードボタンを指示したときに表示される機能設定画面の一例を示す図。
【図６】図５の画面でユーザが製本ボタンを押下したときに表示される、製本コピーの設定画面例を示す図。
【図７】図６の製本コピーの設定画面で、ユーザが「表紙をつける」ボタンを押下したときの表紙設定画面の一例を示す図。
【図８】図６の製本コピーの設定画面で、ユーザが「開き方」ボタンを押下したときに表示される製本の開き方設定画面の一例を示す図。
【図９】８枚の原稿を読み取って印刷し、左開きで中綴じ製本する場合の印刷処理とその製本結果を説明する図。
【図１０】８枚の原稿を読み取って印刷し、右開きで中綴じ製本する場合の印刷処理とその製本結果を説明する図。
【図１１】実施形態１に係るフィニッシャにおいて、中綴じ製本を行って排出する場合の二つの例を説明する図。
【図１２】本実施形態１に係るＭＦＰにおいて製本印刷が指定されたときの処理を説明するフローチャート。
【図１３】実施形態１に係るＭＦＰで、８枚の原稿を読み取って印刷し、右開きで中綴じ製本する場合の印刷処理とその製本結果を説明する図。
【図１４】実施形態１に係るＭＦＰで、８枚の原稿を読み取って印刷し、右開きで中綴じ製本する印刷処理とその製本処理により生成された製本物が図１１（Ｂ）の様に排出された状態を上から見た図。
【図１５】実施形態２に係るＭＦＰにおいて製本印刷が指定されたときの処理を説明するフローチャート。
【図１６】実施形態２における製本物の排出例を示す図。
【図１７】実施形態３に係るＭＦＰにおいて製本印刷が指定されたときの処理の一部を説明するフローチャート。
【発明を実施するための形態】
【００１０】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。
【００１１】
図１は、本発明の実施形態１に係る印刷装置の一例である多機能周辺機器（ＭＦＰ :Multi-Function Peripheral）を含む製本システムの構成を説明する図である。
【００１２】
図１において、ＭＦＰを制御するためのコントローラ(制御部）１０１は、図２に示すハードウェア構成を有し、このＭＦＰの動作を制御している。スキャナ１０２はコントローラ１０１により制御されており、原稿を読み取ってその原稿の画像データを出力する。プリンタエンジン１０３はコントローラ１０１によって制御されており、コントローラ１０１から受信した画像データに従って記録媒体（例えば、用紙やシート）に画像を印刷する。このプリンタエンジン１０３にはフィニッシャ１０４が接続されている。このフィニッシャ１０４は、このプリンタエンジン１０３から排出された複数の用紙をまとめて、例えばステイプル（ホッチキス）やサドルステッチ製本処理（中綴じ製本処理）等の後処理を実行できる。このフィニッシャ１０４もコントローラ１０１によって制御されている。ネットワークインターフェイス１０５は、コントローラ１０１に対して、このネットワークインターフェイス１０５を介したネットワークとの双方向通信を提供しており、ＭＦＰはネットワークを介してパソコン１０７との接続されている。操作部１０６は、このＭＦＰのユーザインターフェイスで、図２に示すように表示部とキーボードとを有しており、コントローラ１０１からの情報に従って表示部に画像やメッセージなどを表示するとともに、ユーザからの指示をコントローラ１０１に伝える。また、ネットワークなどのインターフェイスを介して、このＭＦＰの機能を使用可能である。
【００１３】
図２は、実施形態１に係るコントローラ１０１のハードウェア構成を説明するブロック図である。ここで、図１と共通する部分は同じ番号で示している。
【００１４】
コントローラ１０１では、ＣＰＵ２０１がバス２０９を介して、メモリ２０２、操作部１０６の表示部２０３及びキーボード２０４、ＲＯＭ２１０、ディスク２１１と接続されている。ＣＰＵ２０１が実行する各種プログラム及びデータは、ハードディスクやフロッピーディスク等のディスク２１１（記憶媒体）に記憶されており、ＣＰＵ２０１により必要に応じてメモリ２０２に読み出されて実行される。このディスク２１１は、ＭＦＰに着脱可能であってもＭＦＰに内蔵されたものでも良い。また、このプログラムは、ネットワークを介して他のＭＦＰやＰＣ等からからダウンロードされてディスク２１１に記憶される構成でも良い。またメモリには、ＤＲＡＭのような不揮発メモリ、ＳＲＡＭのような揮発メモリがあるが、メモリ２０２は双方の機能を備えていても良く、或いは揮発性メモリの機能をメモリ２０２が受け持ち、不揮発メモリの機能をディスク２１１が受け持つ構成でもよい。また取り外し可能なメモリメディアでも良い。
【００１５】
ＣＰＵ２０１は、表示部２０３への画像やメッセージなどの表示を制御しており、またユーザがキーボード２０４を操作して入力した情報を取得する。尚、表示部２０３がタッチパネル機能を備えている場合は、そのタッチパネルで入力された情報もＣＰＵ２０１に伝えられる。こうして入力された情報は、メモリ２０２、ディスク２１１のいずれかに転送して蓄積され、様々な処理に使用される。
【００１６】
またバス２０９にはネットワークインターフェイス１０５が接続されており、ＣＰＵ２０１は、このネットワークインターフェイス１０５を介して通信を行うことができる。更に、バス２０９には、プリンタエンジン１０３、フィニッシャ１０４、スキャナ１０２が接続されている。ＣＰＵ２０１がこれらエンジンに対して、このバス２０９を介してデータの読み書きを行うことにより、プリントやスキャンなどのエンジンの制御、及びそれらのステータスを取得することができる。
【００１７】
スキャナ１０２、或いはネットワークインターフェイス１０５を介して受信した画像データは、コントローラ１０１のディスク２１１或いはメモリ２０２に保存できる。また、取り外し可能なメモリに予め画像データを蓄積しておき、そのメモリをコントローラ１０１に接続することによって、そこに記憶されている画像データを取り込むことも可能である。ディスク２１１に蓄積されている画像データは、メモリ２０２に移動もしくはコピーすることができ、操作部１０６から指示された内容によってメモリ２０２の画像データに様々なレイアウト処理を施すことができる。尚、プリンタエンジン１０３、フィニッシャ１０４、スキャナ１０２はＭＦＰの内部ではなく、ネットワーク上にそれぞれ単体の周辺機器として存在し、それらをＭＦＰのコントローラ１０１が制御する構成でも良い。
【００１８】
図３（Ａ）は、実施形態１に係るＭＦＰの概観図である。
【００１９】
画像入力デバイスであるスキャナ１０２は、原稿上の画像を照明し、ＣＣＤラインセンサにより画像を走査することで、スキャナに置かれた原稿から電気的な画像データを得る。また、こうして得られた画像データから、原稿のカラー判定やサイズ判定などを行うこともできる。
【００２０】
画像出力デバイスであるプリンタエンジン１０３は、コントローラ１０１から受け取った画像データに基づいて用紙上に画像を印刷する。またコントローラ１０１からの指示に応じて、印刷済の用紙をフィニッシャ１０４に排紙して、ステイプルや製本などの後処理を行わせることもできる。プリント動作の起動や停止は、コントローラ１０１のＣＰＵ２０１からの指示によって行われる。ユーザは、手差しトレイ３０４或いは給紙カセット３０５に、印刷に使用する用紙をセットする。
【００２１】
フィニッシャ１０４の排紙トレイ３０６，３０７は、プリンタエンジン１０３で印刷されて排出された用紙を積載して収容する。サドルトレイ３０８は、サドル製本されて排出された成果物を積載して収容する。ストッパ３０９は、サドル製本されてサドルトレイ３０８上に積載された成果物が落下するのを防止する。尚、このストッパ３０９は、図示の様に、成果物の落下を防止するために立っている状態と、落下を防止しないように倒れた状態を取り得る。トレイセンサ３１０は、サドル製本されてサドルトレイ３０８上に積載された成果物が、サドルトレイ３０８上で満杯になると、その成果物で押し上げられて、サドルトレイ３０８がフルの状態であることを検知する。
【００２２】
図３（Ｂ）は、実施形態１に係るＭＦＰのプリンタエンジン１０３の構成を説明する断面図である。ここでは、電子写真方式のフルカラープリンタエンジンの例で示している。
【００２３】
感光ドラム３１１は一次帯電器３２１により特定の極性電位に帯電処理され、図示しない露光手段によって、矢印３２２で示す位置が露光される。このようにして第一の色成分に対応した静電潜像が形成されると、現像器３１２の４つある現像器中の、その形成された色成分の像に対応する一つの現像器を使用して、その静電潜像が現像される。中間転写ベルト３１３は矢印の方向に駆動されている。感光ドラム３１１上に形成された第一の色成分のトナー画像が、感光ドラム３１１と中間転写ベルト３１３の接合部分を通る過程で一次転写ローラ３２０によって形成された電界によって中間転写ベルト３１３に転写される。こうして第一の色成分のトナー画像が中間転写ベルト３１３に転写された後、感光ドラム３１１の表面はクリーニング装置３１４によって清掃される。この処理を４色分、繰り返すことにより、４色（Ｙ，Ｍ，Ｃ，Ｋ）の画像を中間転写ベルト３１３で重ね合わせてカラー画像を形成する。尚、単色の画像を形成する場合は一度だけ転写処理を行う。こうして中間転写ベルト３１３に転写されたトナー画像は、カセット３１５から給紙された用紙に、二次転写ローラ３１９により転写される。こうしてトナー画像が転写された用紙は定着器３１６で加熱及び加圧されることにより、その表面にトナー像が定着される。こうして画像が定着された用紙は、排紙ローラ３１７を通過し排紙口３２４に搬送されて機外に排出される。また両面印刷を行う場合は、第１面に画像が定着された用紙を反転パス３１８により反転させて、その用紙の第２面に、前述と同様にして画像が形成される。
【００２４】
図４（Ａ）は、実施形態１に係るＭＦＰの操作部１０６の概観図である。
【００２５】
表示部２０３は、画面上にタッチパネルシートが貼られており、メニュー画面や操作画面及びソフトキー等を表示するとともに、表示してあるキーが押されるとその位置情報をＣＰＵ２０１に伝える。スタートキー４０２は原稿の読み取り動作を開始する場合などに用いられる。スタートキー４０２中央部には緑と赤の２色ＬＥＤ４０３が設けられており、そのＬＥＤ４０３の色によってスタートキー４０２が使える状態にあるかどうかを示す。ストップキー４０４は、稼働中の動作を停止させる働きをする。テンキー４０５は、数字や記号、文字のボタン群を有し、コピー部数の設定や、表示部２０３に表示する画面の切り替え等を指示するのに使用される。ユーザモードキー４０６は、機器設定を行う場合に押下される。尚、図２のキーボード２０４は、これらキーやボタン４０２〜４０６を含んでいる。
【００２６】
図４（Ｂ）は、実施形態１に係るＭＦＰの操作部１０６の表示部２０３に表示されるコピーの初期画面の一例を示す図である。
【００２７】
ユーザは、この画面を介して、コピー処理で使用する用紙カセットの選択や、コピーの倍率、カラーコピーか、モノクロコピーか等の設定を行うことができる。
【００２８】
図５は、図４（Ｂ）のコピーの初期画面で、ユーザが応用モードボタン４１０を指示したときに表示される機能設定画面の一例を示す図である。
【００２９】
この機能設定画面は、各種機能を指示する機能ボタン群を含み、ユーザは、これら機能ボタン群の中から設定したい機能を選択することにより、より詳細な機能設定が可能となる。
【００３０】
図６は、図５の画面でユーザが製本ボタン５０１を押下したときに表示される、製本コピーの設定画面例を示す図である。
【００３１】
「製本割付する」ボタン６０１は、ユーザが製本割付を実施したい場合に押下するボタンである。ユーザが製本割付を実施しない場合、「製本割付しない」ボタン６０２を押下する。「製本割付する」ボタン６０１と「製本割付しない」ボタン６０２は、排他的に選択される。図６の画面例は、「製本割付する」ボタン６０１が選択された状態を示している。
【００３２】
「両面原稿」ボタン６０３は、入力する原稿が両面の場合に押下される。原稿設定ボタン６０４は、原稿サイズを変更する場合に押下される。出力用紙設定ボタン６０５は、コピー出力する用紙サイズを変更する場合に押下される。
【００３３】
「折り＋中とじ」ボタン６１０は、ユーザがサドルステッチ（中綴じ製本）を実施したい場合に押下する。「折らない」ボタン６１１は、ユーザが中綴じ製本を実施したくない場合に押下する。図６の画面例は、中綴じ製本が選択された状態を示している。
【００３４】
「表紙をつける」ボタン６０６は、ユーザが製本に表紙を付けたい場合に押下する。「開き方」ボタン６０７は、ユーザが製本出力時の開き方（左開き或いは右開き）を指示する場合に押下する。「設定取消」ボタン６０８、ユーザが、この画面を介した製本の設定を取り消したい場合に押下する。ＯＫボタン６０９は、ユーザがこの画面を介した製本の設定を確定する場合に押下する。
【００３５】
図７は、図６の製本コピーの設定画面で、ユーザが「表紙をつける」ボタン６０６を押下したときの表紙設定画面の一例を示す図である。
【００３６】
この表紙設定画面には、表表紙のオモテに印刷するか、しないかを選択するボタン群７０１、表表紙のウラに印刷するか、しないかを選択するボタン群７０２、ウラ表紙のオモテに印刷するか、しないかを選択するボタン群７０３を有している。更に、ウラ表紙のウラに印刷するか、しないかを選択するボタン群７０４を有しており、これらボタン群により、製本の表紙の印刷方法を指定することができる。図７の画面では、表表紙のオモテに印刷する、表表紙のウラに印刷しない、ウラ表紙のオモテに印刷する、ウラ表紙のウラに印刷しない、が設定されている。
【００３７】
表紙用紙設定ボタン７０５は、表紙に使用する用紙を、製本の本文の用紙と異ならせる場合に押下される。表紙用紙設定ボタン７０５は、ユーザが、用紙サイズや用紙タイプ、また用紙を給紙する給紙段を変更したい場合に押下する。ＯＫボタン７０６は、ユーザがこの画面による設定を確定する場合に押下する。このＯＫボタン７０６が押下されると、この画面で設定された事項が確定されて図６の製本コピーの設定画面に戻る。設定取消ボタン７０７は、ユーザがこの画面を介した設定を取り消す場合に押下する。この設定取消ボタン７０７が押下されると、表紙設定は行われずに図６の製本コピーの設定画面に戻る。
【００３８】
図８は、図６の製本コピーの設定画面で、ユーザが「開き方」ボタン６０７を押下したときに表示される製本の開き方設定画面の一例を示す図である。
【００３９】
この開き方設定画面には、左開き指示ボタン８０１と右開き指示ボタン８０２が含まれ、ユーザは、このどちらかを選択して本の開き方向を指示する。図８では、左開きが選択された状態を示している。ＯＫボタン８０３は、この画面による設定の完了を指示するボタンである。ＯＫボタン８０３が押下されると図６の製本コピーの設定画面に戻る。
【００４０】
以上の設定が完了すると、例えば表１に示すように、設定データが更新される。この設定データは、コントローラ１０１のメモリ２０２、ディスク２１１のいずれかに保存され、コピージョブの実行時に参照される。
【００４１】
【表１】
0006457828.tif 000002
【００４２】
表１では、表紙つきで左開きの中綴じ製本、製本割付けが指定されており、表表紙のオモテに印刷し、表表紙のウラ、及び裏表紙のオモテとウラには印刷しないように設定されている。
【００４３】
図９は、８枚の原稿を読み取って印刷し、左開きで中綴じ製本する場合の印刷処理とその製本結果を説明する図である。
【００４４】
図６の製本コピーの設定画面で、表紙設定を行わずに左開きを設定した後、ユーザは、９０１で示す原稿をスキャナ１０２にセットしてスタートキー４０２を押下する。これにより、原稿が読み取られ、その画像データが生成されコントローラ１０１のディスク２１１に蓄積される。こうして全ての原稿が読み取られて、その画像データがディスク２１１に蓄積されると、次に、ディスク２１１に蓄積された画像データを読み出してメモリ２０２に製本レイアウト画像として展開する。尚、図９において、各原稿で示す数字は、その原稿のページ番号を示している。
【００４５】
この例の場合、レイアウト例９０２に示すように、まず、１枚目の用紙の１面目に印刷するために、４ページ目の原稿の画像を１枚目の用紙の左側に、５ページ目の原稿の画像を右側にレイアウトする。こうしてメモリ２０２上で、１枚目の用紙の１面目の画像のレイアウトが完了すると、給紙カセット３０５から給紙された用紙の１面目にプリンタエンジン１０３で印刷する。こうして１枚目の用紙の１面目の印刷が終了すると、その用紙を反転パス３１８を通過させて、その１枚目の用紙の２面目の印刷に備える。
【００４６】
次にレイアウト例９０２に示すように、１枚目の用紙の２面目に印刷するために、６ページ目の原稿の画像をその用紙の左側に、３ページ目の原稿の画像を右側にレイアウトする。こうしてメモリ２０２上に、１枚目の用紙の２面目の画像のレイアウトが完了すると、反転パス３１８を通過して反転された１枚目の用紙の２面目に印刷して、その両面印刷済の１枚目の用紙を機外に排出する。
【００４７】
これにより、機外排出例９０３の９１０で示すように、１枚目の用紙が１面目を下にして、フィニッシャ１０４のトレイに排出される。
【００４８】
同様にして、レイアウト例９０２において、２枚目の用紙の１面目に印刷するために、２ページ目の原稿の画像を２枚目の用紙の左側に、７ページ目の原稿の画像を右側にレイアウトする。こうしてメモリ２０２に、２枚目の用紙の１面目の画像のレイアウトが完了すると、給紙カセット３０５から用紙を給紙して、その２枚目の用紙の１面目に印刷する。次に２枚目の用紙の２面目に印刷するために、８ページ目の原稿の画像を左側に、１ページ目の原稿の画像を右側にレイアウトする。こうしてメモリ２０２上に、２枚目の用紙の２面目の画像のレイアウトが完了すると、反転パス３１８で反転された２枚目の用紙の２面目に印刷して機外に排出する。
【００４９】
これにより、機外排出例９０３の９１０で示すように、１枚目の用紙の上に２枚目の用紙が、１面目を下にして積載される。尚、図中の丸数字は、用紙に印刷された原稿のページ番号を示している。
【００５０】
機外排出例９０３の９１１は、これら用紙が中綴じされた後、折り処理（中綴じ製本処理）が行われて、サドルトレイ３０８へ排出された状態を示している。ここでは２枚目の用紙の２面目に印刷された、原稿の１ページ目が上になって排出される。また、この製本物では、左開きの設定に応じて、原稿のページ順に従って、複数枚の原稿のそれぞれの画像データに対応する各画像が、製本物の各ページに印刷されたものとなっている。
【００５１】
次に図７の表紙設定画面で、例えば表１に示すような、表紙に印刷する設定行った場合を説明する。
【００５２】
この場合は、レイアウト例９０４に示すように、１枚目の用紙の１面目に印刷するために、５ページ目の原稿の画像を用紙の左側に、６ページ目の原稿の画像を右側にレイアウトする。こうしてメモリ２０２に、１枚目の用紙の１面目の画像のレイアウトが完了すると、給紙カセット３０５から用紙を給紙して、その用紙にプリンタエンジン１０３で印刷する。こうして１枚目の用紙の１面目の印刷が終わると、その用紙は反転パス３１８を経由して反転され、その１枚目の用紙の２面目の印刷に備える。次にレイアウト例９０４に示すように、１枚目の用紙の２面目に印刷するために、７ページ目の原稿の画像を用紙の左側に、４ページ目の原稿の画像を右側にレイアウトする。こうしてメモリ２０２に、１枚目の用紙の２面目の画像のレイアウトが完了すると、反転パス３１８を経由した１枚目の用紙の２面目に印刷する。
【００５３】
同様に、２枚目の用紙の１面目に印刷するために、３ページ目の原稿の画像を用紙の左側に、８ページ目の原稿の画像を右側にレイアウトする。こうしてメモリ２０２に、２枚目の用紙の１面目の画像のレイアウトが完了すると、給紙カセット３０５から用紙を給紙して、その２枚目の用紙の１面目に印刷する。次に、２枚目の用紙の２面目に印刷するために、２ページ目の原稿の画像を用紙の右側にレイアウトし、その用紙の左側には何もレイアウトしない。こうしてメモリ２０２に、２枚目の用紙の２面目の画像のレイアウトが完了すると、反転パス３１８で反転された２枚目の用紙の２面目に印刷する。
【００５４】
最後に３枚目の用紙の１面目には何も印刷しないため、レイアウトを行わずにカセット３０５から給紙された用紙をそのまま通過させ、その用紙を反転パス３１８を経由して反転し、その３枚目の用紙の２面目の印刷に備える。そして３枚目の用紙の２面目に印刷するために、１ページ目の原稿の画像を用紙の右側にレイアウトする。こうしてメモリ２０２に、３枚目の用紙の２面目の画像のレイアウトが完了すると、反転パス３１８により反転された３枚目の用紙の２面目に印刷して、その用紙を機外に排出する。
【００５５】
機外排出例９０５の９１２は、印刷済の３枚の用紙をフィニッシャ１０４のトレイに排出して積載した状態を示す。ここでは１枚目から３枚目までの用紙が、いずれも１面目を下にして積載されている。尚、図中の丸数字は、用紙に印刷された原稿のページ番号を示している。
【００５６】
機外排出例９０３の９１３は、これら用紙に中綴じ製本が実施されて、サドルトレイ３０８へ排出された状態を示している。ここでは原稿の１ページ目が印刷された表紙が上になって排出される。従って、この製本は左開きで、最初に表表紙があり、その表表紙の裏は印刷されていない。次に左開きで２ページ目から８ページ目までが、原稿の２ページ目から８ページ目に対応する本文となり、最後の裏表紙はその表と裏の両方が印刷されていないものとなる。
【００５７】
図１０は、８枚の原稿を読み取って印刷し、右開きで中綴じ製本する場合の印刷処理とその製本結果を説明する図である。
【００５８】
まず最初に、図６の製本コピーの設定画面で表紙設定を行わず、右開きを設定した場合で説明する。
【００５９】
ユーザは、１００１で示す原稿をスキャナ１０２にセットしてスタートキー４０２を押下する。これにより、原稿が読み取られ、その画像データが生成されコントローラ１０１のディスク２１１に蓄積される。こうして全ての原稿が読み取られて、その画像データがディスク２１１に蓄積されると、次に、ディスク２１１に蓄積された画像データを読み出してメモリ２０２に製本レイアウト画像として展開する。尚、図１０において、各原稿で示す数字は、その原稿のページ番号を示している。
【００６０】
この例では、レイアウト例１００２に示すように、まず１枚目の用紙の１面目に印刷するために、５ページ目の原稿の画像を用紙の左側に、４ページ目の原稿の画像を右側にレイアウトする。こうしてメモリ２０２に、１枚目の用紙の１面目の画像のレイアウトが完了すると、給紙カセット３０５から用紙を給紙して、プリンタエンジン１０３で印刷する。こうして１枚目の用紙の１面目の印刷が終わると、その用紙は反転パス３１８を通って反転され２面目の印刷に備える。次にレイアウト例１００２に示すように、１枚目の用紙の２面目に印刷するために、３ページ目の原稿の画像を用紙の左側に、６ページ目の原稿の画像を右側にレイアウトする。こうしてメモリ２０２に、２枚目の用紙の２面目の画像のレイアウトが完了すると、反転パス３１８を通って反転された１枚目の用紙の２面目に印刷し、印刷済の１枚目の用紙を機外に排出する。
【００６１】
同様にして、２枚目の用紙の１面目に印刷するために、レイアウト例１００２に示すように、７ページ目の原稿の画像を用紙の左側に、２ページ目の原稿の画像を右側にレイアウトする。こうしてメモリ２０２に、２枚目の用紙の１面目の画像のレイアウトが完了すると、給紙カセット３０５から用紙を給紙して、プリンタエンジン１０３で印刷する。次に２枚目の用紙の２面目に印刷するために、１ページ目の原稿の画像を用紙の左側に、８ページ目の原稿の画像を右側にレイアウトする。こうしてメモリ２０２に、２枚目の用紙の２面目の画像のレイアウトが完了すると、反転パス３１８を経由した２枚目の用紙の２面目に印刷して、その２枚目の用紙を機外に排出する。
【００６２】
機外排出例１００３の１０１０で示すように、１枚目の用紙が１面目を下にして、フィニッシャ１０４のトレイに排出され、１枚目の用紙の上に２枚目の用紙が、１面目を下にして積載される。尚、図中の丸数字は、用紙に印刷された原稿のページ番号を示している。また１０１１は、これら用紙に中綴じ製本が実施されて、サドルトレイ３０８へ排出された状態を示している。ここでは、２枚目の用紙の２面目の原稿の１ページ目が印刷された用紙の面が下になって排出される。従って、この製本は右開きで、原稿の１ページ目から８ページ目までが印刷された用紙で構成された製本物となる。
【００６３】
次に、図７の表紙設定画面で、表紙に印刷する設定行った場合を説明する。
【００６４】
レイアウト例１００４では、１枚目の用紙の１面目に印刷するために、６ページ目の原稿の画像を用紙の左側に、５ページ目の原稿の画像を右側にレイアウトする。こうしてメモリ２０２に、１枚目の用紙の１面目の画像のレイアウトが完了すると、給紙カセット３０５から用紙を給紙して、プリンタエンジン１０３で印刷する。こうして１枚目の用紙の１面目の印刷が終わると、その用紙は反転パス３１８を通って反転され、２面目の印刷に備える。次にレイアウト例１００４に示すように、１枚目の用紙の２面目に印刷するために、４ページ目の原稿の画像を用紙の左側に、７ページ目の原稿の画像を右側にレイアウトする。こうしてメモリ２０２に、１枚目の用紙の２面目の画像のレイアウトが完了すると、反転パス３１８を経由した１枚目の用紙の２面目に印刷して、その１枚目の用紙を機外に排出する。
【００６５】
同様にして、２枚目の用紙の１面目に印刷するために、８ページ目の原稿の画像を用紙の左側に、３ページ目の原稿の画像を右側にレイアウトする。こうしてメモリ２０２に、２枚目の用紙の１面目の画像のレイアウトが完了すると、給紙カセット３０５から用紙を給紙して、プリンタエンジン１０３で印刷する。こうして２枚目の用紙の１面目の印刷が終わると、その用紙は反転パス３１８を通って反転され、２面目の印刷に備える。次にレイアウト例１００４に示すように、２枚目の用紙の２面目に印刷するために、２ページ目の原稿の画像を用紙の左側にレイアウトし、右側には何もレイアウトしない。こうしてメモリ２０２に、２枚目の用紙の２面目の画像のレイアウトが完了すると、反転パス３１８を経由した２枚目の用紙の２面目に印刷して、その２枚目の用紙を機外に排出する。
【００６６】
そして最後に、３枚目の用紙の１面目に印刷するために何もレイアウトを行わずに、カセット３０５から給紙された用紙をそのまま通過させ、その用紙を反転パス３１８を通って反転させて２面目の印刷に備える。次に３枚目の用紙の２面目に印刷するために、１ページ目の原稿の画像を用紙の左側にレイアウトし、右側には何もレイアウトしない。こうしてメモリ２０２に、３枚目の用紙の２面目の画像のレイアウトが完了すると、反転パス３１８を経由した３枚目の用紙の２面目に印刷して、その３枚目の用紙を機外に排出する。
【００６７】
機外排出例１００５の１０１２は、３枚の用紙がフィニッシャ１０４のトレイに排紙されて積載された状態を示す。また１０１３は、中綴じ製本の後、サドルトレイ３０８に排出されたときの用紙と画像の位置を示している。サドルトレイ３０８に排出された場合は、中綴じ製本が行われているため、表紙が下になって排出される。
【００６８】
機外排出例１００５の１０１３では、これら用紙に中綴じ製本が実施された後、サドルトレイ３０８へ排出された状態を示している。ここでは原稿の１ページ目が印刷された表紙が下になって排出される。従って、この製本は右開きで、最初に表表紙があり、その表表紙の裏は印刷されていない。次に右開きで２ページ目から８ページ目までが本文となり、最後の裏表紙はその表と裏の両方が印刷されていないものとなる。
【００６９】
図１１は、実施形態１に係るフィニッシャ１０４において、中綴じ製本を行って排出する場合の二つの例を説明する図である。
【００７０】
図１１（Ａ）は、ストッパ３０９が直立した状態で、排出された製本物をせき止める様子を示している。この場合、複数の製本出力が行われるとサドルトレイ３０８上に製本物が積載されるため、製本物の積載高がトレイセンサ３１０の位置に到達するとトレイフルが検知される。トレイフルが検知されると、製本物の排出が中断される。
【００７１】
図１１（Ｂ）は、ストッパ３０９が機能しないように寝かされた状態を示す図である。ここではストッパ３０９が倒されているため、サドルトレイ３０８上に製本物が積載されず、サドルトレイ３０８の外部にあふれた状態となる。従って、この場合はトレイセンサ３１０によりトレイフルを検知できない。この場合は、製本物の排出を際限なく行うことができる。
【００７２】
図１１（Ｃ）は、図９の９０５に示すように左開きで製本した製本物を、図１１（Ｂ）に示すように、際限なく排出した状態を上から見た図である。
【００７３】
図１１（Ｄ）は、図１０の１００５で示すように右開きで製本した製本物を、図１１（Ｂ）に示すように、際限なく排出した状態を上から見た図である。。
【００７４】
このように、左開きで製本した場合は、表紙の印刷面が上になるため、印刷が行われていることが確認できるが、右開きで製本した場合は、表紙の印刷面が下になるため、見た目上、白紙の製本物が排出されたように見えてしまう。
【００７５】
図１２は、本実施形態１に係るＭＦＰにおいて製本印刷が指定されたときの処理を説明するフローチャートである。尚、この処理を実行するプログラムはディスク２１１にインストールされており、実行時にメモリ２０２に展開されてＣＰＵ２０１の制御の下に実行される。
【００７６】
この処理は、ユーザが図６の製本コピーの設定画面で製本の設定を行った後、操作部１０６のスタートキー４０２を押下することにより開始される。
【００７７】
Ｓ１２０１でＣＰＵ２０１は、スキャナ１０２を制御して原稿の読み込みを実行して、それら原稿の画像データを取得してディスク２１１に格納する。次にＳ１２０２に進みＣＰＵ２０１は、例えば表１に示すような、メモリ２０２に格納されている製本コピーの設定データを参照する。ここでＣＰＵ２０１は、「折り＋中とじ」（中綴じ製本）が設定されているかどうかを判定し、設定されていないと判定するとＳ１２０４に進み、ＣＰＵ２０１は、例えば図９の９０２或いは９０４で示すように、画像データをメモリ２０２に展開する。そしてＳ１２０６に進みその画像データをプリンタエンジン１０３に出力して印刷し、この処理を終了する。
【００７８】
一方、Ｓ１２０２でＣＰＵ２０１が、「折り＋中とじ」が設定されていると判定するとＳ１２０３に進み、設定されている製本の開き方を参照する。ここでＣＰＵ２０１が左開きと判定した場合はＳ１２０４に進み、ＣＰＵ２０１は、例えば図９の９０２或いは９０４で示すように、画像データをメモリ２０２に展開し、Ｓ１２０６で印刷処理して処理を終了する。
【００７９】
一方、Ｓ１２０３でＣＰＵ２０１は右開きと判定した場合はＳ１２０５に進む。Ｓ１２０５でＣＰＵ２０１は、例えば後述する図１３の１３０２や１３０４で示すように、画像データを１８０度回転してメモリ２０２に展開する。そしてＳ１２０６に進んでＣＰＵ２０１は、その展開された画像データをプリンタエンジン１０３に出力して印刷し、この処理を終了する。
【００８０】
図１３は、実施形態１に係るＭＦＰで、８枚の原稿を読み取って印刷し、右開きで中綴じ製本する場合の印刷処理とその製本結果を説明する図である。
【００８１】
ここでは製本コピーの設定画面で表紙設定は行わず、右開きを設定した後、ユーザが、１３０１で原稿をスキャナ部３０１にセットし、スタートキー４０２を押下すると、その原稿の画像データがディスク２１１に蓄積される。こうして全ての原稿の画像データがディスク２１１に蓄積された後、その画像データを読み出してメモリ２０２に製本レイアウト画像として展開する。
【００８２】
この例の場合、レイアウト例１３０２に示すように、まず、１枚目の用紙の１面目を印刷するために、５ページ目の原稿の画像を１８０度回転して用紙の右側に、４ページ目の原稿の画像を１８０度回転して左側にレイアウトする。こうしてメモリ２０２に、１枚目の用紙の１面目の画像のレイアウトが完了すると、給紙カセット３０５から用紙を給紙して、プリンタエンジン１０３で印刷する。そして１枚目の用紙の１面目の印刷が終わると、その用紙を反転パス３１８を介して反転させ、その１枚目の用紙の２面目の印刷に備える。
【００８３】
次にレイアウト例１３０２に示すように、１枚目の用紙の２面目に印刷するために、３ページ目の原稿の画像を１８０度回転して用紙の右側に、６ページ目の原稿の画像を１８０度回転して左側にレイアウトする。こうしてメモリ２０２に、１枚目の用紙の２面目の画像のレイアウトが完了すると、反転パス３１８を介して反転された１枚目の用紙の２面目に印刷し、両面印刷が完了した１枚目の用紙を機外に排出する。
【００８４】
同様にして、２枚目の用紙の１面目に印刷するために、７ページ目の原稿の画像を１８０度回転して用紙の右側に、２ページ目の原稿の画像を１８０度回転して左側にレイアウトする。こうしてメモリ２０２に、２枚目の用紙の１面目の画像のレイアウトが完了すると、給紙カセット３０５から給紙された２枚目の用紙に印刷する。次に２枚目の用紙の２面目に印刷するために、１ページ目の原稿の画像を１８０度回転して用紙の右側に、８ページ目の原稿の画像を１８０度回転して左側にレイアウトする。こうしてメモリ２０２に、２枚目の用紙の２面目の画像のレイアウトが完了すると、反転パス３１８を経由して反転された２枚目の用紙の２面目に印刷し、両面印刷された２枚目の用紙を機外に排出する。
【００８５】
機外排出例１３０３の１３１０は、フィニッシャ１０４のトレイに排出された２枚の用紙を示しており、ここではこれら用紙は１面目を下にして積載されている。１３１１は、サドルトレイ３０８に積載された製本物を示している。サドルトレイ３０８に排出された場合は、中綴じ製本が完了しているため、１枚目の用紙の１面目が上になって排出されている。
【００８６】
次に図７の表紙設定画面で、表紙に印刷する設定（表１の例で、表表紙のオモテのみに印刷し、表表紙のウラ、裏表紙のオモテ、ウラには印刷しない）を行った場合について説明する。
【００８７】
レイアウト例１３０４に示すように、１枚目の用紙の１面目に印刷するために、６ページ目の原稿の画像を１８０度回転して用紙の右側に、５ページ目の原稿の画像を１８０度回転して左側にレイアウトする。こうしてメモリ２０２に、１枚目の用紙の１面目の画像のレイアウトが完了すると、給紙カセット３０５から用紙を給紙して、プリンタエンジン１０３で印刷する。そして１枚目の用紙の１面目の印刷が終わると、その用紙を反転パス３１８を介して反転させ、その１枚目の用紙の２面目の印刷に備える。
【００８８】
次にレイアウト例１３０４に示すように、１枚目の用紙の２面目を印刷するために、４ページ目の原稿の画像を１８０度回転して用紙の右側に、７ページ目の原稿の画像を１８０度回転して左側にレイアウトする。こうしてメモリ２０２に、１枚目の用紙の２面目の画像のレイアウトが完了すると、反転パス３１８を経由して反転された１枚目の用紙の２面目に印刷し、両面印刷された１枚目の用紙を機外に排出する。
【００８９】
同様にして、２枚目の用紙の１面目を印刷するために、８ページ目の原稿の画像を１８０度回転して用紙の右側に、３ページ目の原稿の画像を１８０度回転して左側にレイアウトする。こうしてメモリ２０２に、２枚目の用紙の１面目の画像のレイアウトが完了すると、給紙カセット３０５から用紙を給紙して、プリンタエンジン１０３で印刷する。そして２枚目の用紙の１面目の印刷が終わると、その用紙を反転パス３１８を介して反転させ、その２枚目の用紙の２面目の印刷に備える。そして２枚目の用紙の２面目に印刷するために、２ページ目の原稿の画像を１８０度回転して用紙の右側にレイアウトし、左側には何もレイアウトしない。こうしてメモリ２０２に、２枚目の用紙の２面目の画像のレイアウトが完了すると、反転パス３１８を経由して反転された２枚目の用紙の２面目に印刷し、両面印刷された２枚目の用紙を機外に排出する。
【００９０】
最後に３枚目の用紙の１面目を印刷するために、何もレイアウトを行わずにカセット３０５から給紙された用紙をそのまま通過させ、その用紙を反転パス３１８を介して反転させ、その３枚目の用紙の２面目の印刷に備える。そして、３枚目の用紙の２面目に印刷するために、１ページ目の原稿の画像を１８０度回転して用紙の右側にレイアウトし、左側には何もレイアウトしない。こうしてメモリ２０２に、２枚目の用紙の２面目の画像のレイアウトが完了すると、反転パス３１８を経由して反転された３枚目の用紙の２面目に印刷し、両面印刷された３枚目の用紙を機外に排出する。
【００９１】
機外排出例１３０５の１３１２は、フィニッシャ１０４のトレイに排出した状態を示し、１３１３は、サドルトレイ３０８に排出された製本物の状態を示している。サドルトレイ３０８に排出した場合は、１ページ目の原稿が印刷された１枚目の用紙の１面目が表表紙となって上に位置している。これにより左開きで、表表紙から原稿の１ページ目から８ページ目までが印刷された用紙と、最後の何も印刷されていない裏表紙を含む製本物が形成される。
【００９２】
この場合、例えば図１１（Ｂ）に示すように製本物が排出された場合で、ウラ表紙が、何も印刷されていない白紙で構成されていても、白紙の用紙が連続して見えることはない。このため、例え、印刷に異常が発生して印刷されない用紙が排出された場合でも容易に識別できる。
【００９３】
図１４は、実施形態１に係るＭＦＰで、８枚の原稿を読み取って印刷し、右開きで中綴じ製本する印刷処理とその製本処理により生成された製本物が、図１１（Ｂ）の様に排出された状態を上から見た図である。
【００９４】
これによれば、表紙のオモテが常に上を向いた状態で製本物が排出されるため、白紙の用紙が連続して見えることがなくなり、印刷の異常を容易に検出できるという効果がある。
【００９５】
以上説明したように本実施形態１によれば、製本の開き設定が右開きの場合に、用紙にレイアウトされる画像の向きを１８０度回転させることにより、常に製本物の表表紙を上向きにして製本物を排出できる。これにより、例えば、図１１（Ｂ）の様な状態になった場合でも、製本物の用紙面の画像を確認することができ、安心して大量の製本ジョブを実行することができるようになる。
【００９６】
［実施形態２］
次に本発明の実施形態２について説明する。実施形態２では、製本物が右開きか、左開きかだけでなく、表表紙と裏表紙のオモテに画像が印刷されているかどうかにより、用紙にレイアウトされる画像の向きを１８０度回転させる。これにより上記実施形態１と同様の効果を得ることができる例を説明する。尚、実施形態２に係る画像形成装置の構成及びそのシステム全体の構成は、前述の実施形態１と同様であるため、その説明を省略する。
【００９７】
図１５は、本実施形態２に係るＭＦＰにおいて製本印刷が指定されたときの処理を説明するフローチャートである。尚、この処理を実行するプログラムはディスク２１１にインストールされており、実行時にメモリ２０２に展開されてＣＰＵ２０１の制御の下に実行される。尚、この処理は、ユーザが図６の製本コピーの設定画面で製本の設定を行った後、操作部１０６のスタートキー４０２を押下することにより開始される。
【００９８】
まずＳ１５０１でＣＰＵ２０１は、スキャナ１０２を制御して原稿の読み込みを実行して、それら原稿の画像データを取得してディスク２１１に格納する。次にＳ１５０２に進みＣＰＵ２０１は、製本で「折り＋中とじ」（中綴じ製本）が指定されているかどうかを判定する。ここで中綴じ製本が指定されていないときはＳ１５０６で、前述の図１２のＳ１２０４と同様に、ＣＰＵ２０１は、例えば図９の９０２或いは９０４で示すように、画像データを回転せずにメモリ２０２に展開する。そしてＳ１５０８に進み、図１２のＳ１２０６と同様に、その画像データをプリンタエンジン１０３に出力して印刷し、この処理を終了する。
【００９９】
一方、Ｓ１５０２でＣＰＵ２０１は、中綴じ製本が指定されていないと判定したときはＳ１５０３に進み、図６と図８の画面で設定されてメモリ２０２に記憶されている製本の開き方を参照して、右開きか、左開きかを判定する。ここで左開きと判定するとＳ１５０４に進み、ＣＰＵ２０１が表１の「表紙をつける」の項目を参照し、「表表紙のオモテ」に「プリントする」が設定されているかどうか判定する。「表表紙のオモテ」に「プリントする」が設定されていればＳ１５０６に進んで、前述したように、画像データを展開して印刷する。この場合、製本物を並べると、例えば図１６（Ａ）に示すように、製本物の表表紙のオモテが上になって排出される。
【０１００】
また、Ｓ１５０４でＣＰＵ２０１が、「表表紙」に「プリントする」が設定されていないと判定した場合はＳ１５０５に進み、ＣＰＵ２０１は、表１を参照し、「裏表紙のオモテ」に「プリントする」が設定されているかどうか判定する。ここで「裏表紙のオモテ」に「プリントする」が設定されていないときはＳ１５０６に進んで、前述したように、画像データを展開して印刷する。この場合、この場合、表紙のオモテと裏表紙のオモテに画像が存在しないため、製本物を並べると、例えば図１６（Ｂ）に示すようになる。
【０１０１】
一方、Ｓ１５０５でＣＰＵ２０１が、「裏表紙のオモテ」に「プリントする」が設定されていると判定するとＳ１５０７に進む。Ｓ１５０７でＣＰＵ２０１は、前述の図１２のＳ１２０５と同様に、例えば前述の図１３の１３０２や１３０４で示すように、画像データを１８０度回転してメモリ２０２に展開する。そしてＳ１５０８に進んでＣＰＵ２０１は、その展開された画像データをプリンタエンジン１０３に出力して印刷し、この処理を終了する。この場合、製本物を並べると、例えば図１６（Ｃ）に示すように、１８０度展開された裏表紙のオモテが上になった製本物が排出される。
【０１０２】
次に、Ｓ１５０３で右開きと判定した場合の処理を説明する。
【０１０３】
Ｓ１５０３でＣＰＵ２０１が、右開きと判定した場合はＳ１５０９に進み、ＣＰＵ２０１は、表１の「表紙をつける」の項目を参照し、「裏表紙のオモテ」に「プリントする」が設定されているかどうか判定する。Ｓ１５０９で裏表紙のオモテ」に「プリントする」と設定されていると判定した場合はＳ１５０６に進み、画像データを回転しないレイアウトで印刷して、製本処理を行う。この場合、製本物を並べると、例えば図１６（Ｄ）に示すように、裏表紙のオモテが上になって排出される。
【０１０４】
一方、Ｓ１５０９でＣＰＵ２０１が、「裏表紙のオモテ」に「プリントする」と設定されていないと判定した場合はＳ１５１０に進み、ＣＰＵ２０１は、表１を参照し「表表紙のオモテ」に「プリントする」が設定されているかどうか判定する。Ｓ１５１０でＣＰＵ２０１が、「表表紙のオモテ」に「プリントする」が設定されていないと判定するとＳ１５０６に進み、ＣＰＵ２０１は、Ｓ１５０６で画像データを回転しないレイアウトとし、Ｓ１５０８で印刷する。この場合、表表紙のオモテにも裏表紙のオモテにも画像は存在しないため、この場合、製本物を並べると、例えば図１６（Ｂ）に示すように、白紙の表紙が上となった製本物が排出される。
【０１０５】
一方、Ｓ１５１０でＣＰＵ２０１が、「表表紙のオモテ」に「プリントする」が設定されていると判定するとＳ１５０７に進み、ＣＰＵ２０１は、画像データを１８０度回転した製本レイアウトとして、Ｓ１５０８で印刷する。この場合、製本物を並べると、例えば図１６（Ｅ）に示すように、表表紙のオモテの画像が上になった製本物が排出される。
【０１０６】
以上説明したように実施形態２によれば、製本の開き方が右側でも左側でも、表表紙のオモテ、或いは裏表紙のオモテに画像が形成される場合は、必ず製本物の印刷された面が上になって排出されることになる。これにより、例えば図１１（Ｂ）のように、ストッパ３０９が倒されて製本物が際限なく排出された場合でも、ユーザは、それら製本物の用紙が正常に印刷されているかどうか容易に確認できる。
【０１０７】
［実施形態３］
次に本発明の実施形態３を説明する。実施形態３では、作成する製本物の部数に応じて、上述の処理を行うかどうかを決定する。即ち、製本物の部数が１部であれば、ユーザはその製本物が排出されると直ぐにその製本物を手に取って確認すると考えられるため、上述の実施形態１，２の様な制御を行わずに製本印刷する。一方、製本物の部数が複数であれば、上述の図１１（Ｂ）の様な状況が発生することが考えられるため、上述の実施形態１或いは２を適用する。尚、実施形態３に係る画像形成装置の構成及びそのシステム全体の構成は、前述の実施形態１と同様であるため、その説明を省略する。
【０１０８】
図１７は、本実施形態３に係るＭＦＰにおいて製本印刷が指定されたときの処理の一部を説明するフローチャートである。尚、この処理を実行するプログラムはディスク２１１にインストールされており、実行時にメモリ２０２に展開されてＣＰＵ２０１の制御の下に実行される。尚、この処理は、ユーザが図６の製本コピーの設定画面で製本の設定を行った後、操作部１０６のスタートキー４０２を押下することにより開始される。尚、このフローチャートは、図１２及び図１５のフローチャートのＡ及びＢまでの処理で示している。
【０１０９】
まずＳ１７０１でＣＰＵ２０１は、スキャナ１０２を制御して原稿の読み込みを実行して、それら原稿の画像データを取得してディスク２１１に格納する。次にＳ１７０２に進みＣＰＵ２０１は、製本で「折り＋中とじ」（中綴じ製本）が指定されているかどうかを判定する。ここで中綴じ製本が指定されていないときは図１５のＳ１５０６に進み、前述の図１２のＳ１２０４と同様に、ＣＰＵ２０１は、例えば図９の９０２或いは９０４で示すように、画像データを回転せずにメモリ２０２に展開する。そしてＳ１５０８に進み、図１２のＳ１２０６と同様に、その画像データをプリンタエンジン１０３に出力して印刷し、この処理を終了する。
【０１１０】
一方、Ｓ１７０２で中綴じ製本が指定されているとＣＰＵ２０１が判定した場合はＳ１７０３に進み、ＣＰＵ２０１は、ユーザが、例えば操作部１０６を介して設定したコピー部数が２以上（複数部）かどうか判定する。ここで複数部でないと判定した場合は、図１５のＳ１５０６に進み、ＣＰＵ２０１は画像データを回転せずにメモリ２０２に展開する。そしてＳ１５０８に進み、図１２のＳ１２０６と同様に、その画像データをプリンタエンジン１０３に出力して印刷し、この処理を終了する。一方、Ｓ１７０３で複数部が設定されていると判定した場合は、図１２のＳ１２０３或いは図１５のＳ１５０３に進む。そしてＣＰＵ２０１は、製本物が右開きか左開きか或いは、製本物が右開きか左開きか、表表紙と裏表紙のオモテに画像を印刷するかどうかに応じて、画像データを回転させて印刷する。
【０１１１】
このようの本実施形態３によれば、製本物が１部だけ生成される場合は、ユーザは、製本物を放置することなく、直ぐにその製本物を手にとって確認すると考えられるので、上述の処理が不要になる。
【０１１２】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【０１１３】
本発明は上記実施の形態に制限されるものではなく、本発明の精神及び範囲から離脱することなく、様々な変更及び変形が可能である。従って、本発明の範囲を公にするために、以下の請求項を添付する。
【符号の説明】
【０１１４】
１０１…コントローラ（制御部）、１０２…スキャナ、１０３…プリンタエンジン、１０４…フィニッシャ、１０５…ネットワークインターフェース、１０６…操作部、２０１…ＣＰＵ、２０２…メモリ、２０３…表示部、２１１…ディスク
【図１】
0006457828.tif 000003
【図２】
0006457828.tif 000004
【図３】
0006457828.tif 000005
【図４】
0006457828.tif 000006
【図５】
0006457828.tif 000007
【図６】
0006457828.tif 000008
【図７】
0006457828.tif 000009
【図８】
0006457828.tif 000010
【図９】
0006457828.tif 000011
【図１０】
0006457828.tif 000012
【図１１】
0006457828.tif 000013
【図１２】
0006457828.tif 000014
【図１３】
0006457828.tif 000015
【図１４】
0006457828.tif 000016
【図１５】
0006457828.tif 000017
【図１６】
0006457828.tif 000018
【図１７】
0006457828.tif 000019